(57)【要約】【課題】  小型プリント配線板を電気コネクタから抜けにくくしながらイジェクタを低背化し、電気コネクタの低背下による小型化、電気コネクタの実装密度の向上を図る。【解決手段】  厚さ方向に貫通する少なくとも１つの貫通孔２２０を有する小型プリント配線板２００の挿入又は抜去が行われる電気コネクタ１００である。電気コネクタは、第１ハウジング１１０と、第１ハウジングの幅方向両端付近から奥行き方向の手前へそれぞれ立ち上がる一対の第２ハウジング１２０と、第１ハウジングに設けられたコンタクト１３０と、イジェクタ１４０とを備えると共に、第１ハウジングの第１壁１１１及び第２ハウジングの第２壁１２１のうち少なくとも１つの壁の内面に厚さ方向に突出し、挿入された小型プリント配線板の貫通孔に嵌入する可撓性あるロック部１５０が設けられている。【選択図】  図１
2005294231.tif 000002
【特許請求の範囲】
【請求項１】
互いに直交する奥行き方向、幅方向、及び厚さ方向をとったときに、奥行き方向に延びる辺と幅方向に延びる辺とにより厚さ方向からみてほぼ矩形状に形成されると共に導電部を有し且つ厚さ方向に貫通する少なくとも１つの貫通孔を有する小型プリント配線板の挿入又は抜去が行われる電気コネクタであって、
厚さ方向に対向する第１壁の間に、幅方向に延び且つ奥行き方向手前に開口する収容室が形成された第１ハウジングと、
第１ハウジングの幅方向両端付近から奥行き方向の手前へそれぞれ立ち上がり、厚さ方向に対向する第２壁の間に、奥行き方向に延び且つ幅方向の内側に開口するガイド溝が形成された一対の第２ハウジングと、
第１ハウジングに設けられ、第１ハウジングの外部に導出された接続部と、収容室に厚さ方向に弾性変形できるように設けられた接触部とを有するコンタクトと、
収容室を外部に連通する連通部に、奥行き方向に交差して延びる軸のまわりに回動可能に設けられ、一部が押出部として収容室に位置し、先端が操作部として連通部の外側に導出されたイジェクタとを備え、
挿入された小型プリント配線板の幅方向の両端の端縁をガイド溝で受け、奥行き方向の奥側の端縁を収容室に受け入れ、導電部にコンタクトの接触部を接触させる一方、イジェクタの操作部を奥行き方向に移動させることで押出部を奥行き方向の手前に移動し、押出部で小型プリント配線板を押し出して抜去するように構成すると共に、
第１ハウジングの第１壁及び第２ハウジングの第２壁のうち少なくとも１つの壁の内面に厚さ方向に突出し、挿入された小型プリント配線板の貫通孔に嵌入する可撓性あるロック部が設けられている小型プリント配線板の電気コネクタ。
【請求項２】
ロック部が、第１ハウジングの対向する第１壁及び第２ハウジングの対向する第２壁のうち少なくとも一方に、厚さ方向に対向するように設けられている請求項１の小型プリント配線板の電気コネクタ。
【請求項３】
厚さ方向に対向するロック部が複数対設けられている請求項２の小型プリント配線板の電気コネクタ。
【請求項４】
複数のロック部が、幅方向に離れて設けられている請求項１ないし請求項３のうちいずれか１項の小型プリント配線板の電気コネクタ。
【請求項５】
ロック部が、厚さ方向に向いた面による断面が先端に向かって小さくなるように設けられている請求項１ないし請求項４のうちいずれか１項の小型プリント配線板の電気コネクタ。
【発明の詳細な説明】
【技術分野】
【０００１】
本発明は、小型プリント配線板の挿入又は抜去が行われる電気コネクタの技術分野に属し、電気コネクタの小型化に関する。
【背景技術】
【０００２】
特許文献１は、マザー回路基板の導体へドーター回路基板の導電性パッドを接続するための電気コネクタを開示している。この電気コネクタは、ドーター回路基板を受け入れる細長い溝を側壁間に形成する絶縁ハウジングを備え、このハウジングは、その細長い溝に沿って端子空洞を形成し、細長い溝の一端にイジェクタ窪みを有すると共に、この窪みと連絡している取付具受け入れ孔を有し、前記端子空洞に取り付けられた複数の端子を更に備え、この端子は、細長い溝へと延びてドーター回路基板の導電性パッドに係合するコンタクト部分と、ハウジングから延び出てマザー回路基板の導体に係合するテール部分とを有し、更に、取付具を備え、この取付具は、これをハウジングの取付具受け入れ孔に係留させる係留部分と、マザー回路基板に係合してコネクタをマザー回路基板に固定する係合部分と、イジェクタ保持部分とを有し、そして更に、放出面を形成する本体を含むイジェクタを備え、このイジェクタは、ハウジングのイジェクタ窪み内で取付具のイジェクタ保持部分に枢着されて、イジェクタが回動されるとき、放出面が細長い溝から離れる方向にドーター回路基板を押すようにしている。
【０００３】
特許文献２の図７は、小形回路板を主回路板に接続させるためのコネクタとして、接続された小形回路板をコネクタから離脱させるためのイジェクト機構を備えたソケットコネクタを開示している。このソケットコネクタは、インシュレータ製のハウジングの長手方向の少なくとも一端にＬ字形のレバーをピンでもって回動自在に支承し、レバーの操作部を外側に向けて回動させることにより、小形回路板の先端に係合している作用部を上昇移動させ、小形回路板を抜去方向に押出すものである。このレバーは、小形回路板の側縁に形成された切り欠き部に係合する。
【０００４】
特許文献３は、小形回路板の接続に使用するソケットコネクタを開示している。このソケットコネクタは、上記小形回路板を受けるハウジングと、上記ハウジングの長手方向端部に備えた押ボタンと、上記押ボタンの移動にしたがって回動して上記小形回路板の片端を上記ハウジングから押出すベルクランクとを含んでいる。特許文献３は、さらに、このソケットコネクタにおいて、上記押ボタンと一体の係止部を有し、上記係止部は上記小形回路板の一部に形成されたサイドノッチに係合して上記小形回路板の上記ハウジングからの離脱を阻止するソケットコネクタを開示している。特許文献３は、さらに、このソケットコネクタにおいて、上記ハウジングは上記小形回路板の他部を係止する弾性係止部を有し、上記弾性係止部は、上記小形回路板の片端を上記コネクタ本体から押出すときには上記小形回路板に押されて撓み上記小形回路板の係止を解放するものであるソケットコネクタを開示している。
【特許文献１】特開２０００−９１０３２号公報
【特許文献２】特開平９−７６９３号公報
【特許文献３】特開平７−２８８１５４号公報
【発明の開示】
【発明が解決しようとする課題】
【０００５】
特許文献１の電気コネクタは、ドーター回路基板が電気コネクタから抜けることを防ぐために、イジェクタの上端にドーター回路基板の上縁に掛かる押え部が設けられている。そのため、イジェクタが嵩高いものになり、電気コネクタの高さを高くしている。しかも、この高いイジェクタが側方外方へ倒れるので、電気コネクタの側方にスペースが必要となり、電気コネクタの実装密度を高めることができない。特許文献２のソケットコネクタは、小形回路板がソケットコネクタから抜けることを防ぐために、レバーに小形回路板の切り欠きに係合する突起が形成されている。そのため、レバーが嵩高いものになり、ソケットコネクタの高さを高くしている。しかも、この高いレバーが側方外方へ倒れるので、ソケットコネクタの側方にスペースが必要となり、電気コネクタの実装密度を高めることができない。特許文献３のソケットコネクタは、特許文献２のソケットコネクタと同様に小形回路板のサイドノッチに係合する係止部及び弾性係止部を有するので、その分だけソケットコネクタの高さが高くなる。しかも、この係止部を設けたこと、弾性係止部が側方へ変形することから、ソケットコネクタが側方に大きなものになり、電気コネクタの実装密度を高めることができない。
【０００６】
本発明は、このような点に着目してなされたもので、その目的とするところは、挿入された小型プリント配線板の貫通孔に、ハウジングに設けた可撓性あるロック部を嵌入して小型プリント配線板を係止することで小型プリント配線板が電気コネクタから抜けにくくし、これによってイジェクタを低背化し、電気コネクタの低背下による小型化、電気コネクタの実装密度の向上を図ることにある。
【課題を解決するための手段】
【０００７】
上記目的を達成するための請求項１の小型プリント配線板の電気コネクタは、互いに直交する奥行き方向、幅方向、及び厚さ方向をとったときに、奥行き方向に延びる辺と幅方向に延びる辺とにより厚さ方向からみてほぼ矩形状に形成されると共に導電部を有し且つ厚さ方向に貫通する少なくとも１つの貫通孔を有する小型プリント配線板の挿入又は抜去が行われる電気コネクタである。この小型プリント配線板の電気コネクタは、厚さ方向に対向する第１壁の間に、幅方向に延び且つ奥行き方向手前に開口する収容室が形成された第１ハウジングと、第１ハウジングの幅方向両端付近から奥行き方向の手前へそれぞれ立ち上がり、厚さ方向に対向する第２壁の間に、奥行き方向に延び且つ幅方向の内側に開口するガイド溝が形成された一対の第２ハウジングと、第１ハウジングに設けられ、第１ハウジングの外部に導出された接続部と、収容室に厚さ方向に弾性変形できるように設けられた接触部とを有するコンタクトと、収容室を外部に連通する連通部に、奥行き方向に交差して延びる軸のまわりに回動可能に設けられ、一部が押出部として収容室に位置し、先端が操作部として連通部の外側に導出されたイジェクタとを備え、挿入された小型プリント配線板の幅方向の両端の端縁をガイド溝で受け、奥行き方向の奥側の端縁を収容室に受け入れ、導電部にコンタクトの接触部を接触させる一方、イジェクタの操作部を奥行き方向に移動させることで押出部を奥行き方向の手前に移動し、押出部で小型プリント配線板を押し出して抜去するように構成すると共に、第１ハウジングの第１壁及び第２ハウジングの第２壁のうち少なくとも１つの壁の内面に厚さ方向に突出し、挿入された小型プリント配線板の貫通孔に嵌入する可撓性あるロック部が設けられている。
【０００８】
この電気コネクタに小型プリント配線板を挿入すると、小型プリント配線板の幅方向の両端の端縁をガイド溝で受け、奥行き方向の奥側の端縁を収容室に受け入れ、導電部にコンタクトの接触部を接触させる。その場合、ロック部が可撓性により撓んで小型プリント配線板の貫通孔に嵌入して小型プリント配線板を係止するので、小型プリント配線板が電気コネクタから抜けにくい。極数が多くなると、コンタクトの数が多いので、コンタクトの接触圧力による小型プリント配線板の保持力もあるので、これと相俟って小型プリント配線板が電気コネクタから抜けにくくなる。一方、イジェクタの操作部を奥行き方向に移動させると、押出部が奥行き方向の手前に移動し、押出部で小型プリント配線板を押し出して抜去する。その場合、ロック部が可撓性により撓んで小型プリント配線板の貫通孔から外れる。イジェクタは、小型プリント配線板の奥行き方向手前の端縁や幅方向の端縁に掛かって抜け止めする必要がないので、イジェクタが低背化し、電気コネクタの低背下による小型化が達成可能となり、また電気コネクタの幅方向外側のスペースが少なくてよいので、電気コネクタの実装密度が向上する。
【０００９】
請求項２の小型プリント配線板の電気コネクタは。請求項１の小型プリント配線板の電気コネクタにおいて、ロック部が、第１ハウジングの対向する第１壁及び第２ハウジングの対向する第２壁のうち少なくとも一方に、厚さ方向に対向するように設けられている。
【００１０】
このようにすれば、対向する一対のロック部が小型プリント配線板を挟持するので、小型プリント配線板を係止する力が増し、小型プリント配線板が電気コネクタから更に抜けにくくなる。
【００１１】
請求項３の小型プリント配線板の電気コネクタは、請求項２の小型プリント配線板の電気コネクタにおいて、厚さ方向に対向するロック部が複数対設けられている。
【００１２】
このようにすれば、ロック部が小型プリント配線板の貫通孔に嵌入する個所が増すので、小型プリント配線板を係止する力が増し、小型プリント配線板が電気コネクタから更に抜けにくくなる。
【００１３】
請求項４の小型プリント配線板の電気コネクタは。請求項１ないし請求項３のうちいずれか１項の小型プリント配線板の電気コネクタにおいて、複数のロック部が幅方向に離れて設けられている。
【００１４】
このようにすれば、ロック部が小型プリント配線板の貫通孔に嵌入する個所が増すので、小型プリント配線板を係止する力が増し、小型プリント配線板が電気コネクタから更に抜けにくくなる。しかも、係止力が幅方向にバランスするので、小型プリント配線板が厚さ方向からみて傾斜しにくい。
【００１５】
請求項５の小型プリント配線板の電気コネクタは、請求項１ないし請求項４のうちいずれか１項の小型プリント配線板の電気コネクタにおいて、ロック部が、厚さ方向に向いた面による断面が先端に向かって小さくなるように設けられている。
【００１６】
このようにすれば、ロック部の外面が先端に向かって傾斜しているので、これがガイド機能を発揮してロック部が小型プリント配線板の貫通孔に嵌入しやすい。
【発明の効果】
【００１７】
請求項１の小型プリント配線板の電気コネクタは、挿入された小型プリント配線板の貫通孔に、ハウジングに設けた可撓性あるロック部を嵌入して小型プリント配線板を係止することで小型プリント配線板が電気コネクタから抜けにくくするので、イジェクタを低背化し、電気コネクタの低背下による小型化、電気コネクタの実装密度の向上を図ることができる。
【００１８】
請求項２のようにすれば、対向する一対のロック部が小型プリント配線板を挟持するので、小型プリント配線板を係止する力が増し、小型プリント配線板が電気コネクタから更に抜けにくくなる。
【００１９】
請求項３のようにすれば、ロック部が小型プリント配線板の貫通孔に嵌入する個所が増すので、小型プリント配線板を係止する力が増し、小型プリント配線板が電気コネクタから更に抜けにくくなる。
【００２０】
請求項４のようにすれば、ロック部が小型プリント配線板の貫通孔に嵌入する個所が増すので、小型プリント配線板を係止する力が増し、小型プリント配線板が電気コネクタから更に抜けにくくなる。しかも、係止力が幅方向にバランスするので、小型プリント配線板が厚さ方向からみて傾斜しにくい。
【００２１】
請求項５のようにすれば、ロック部の外面が傾斜しているので、これがガイド機能を発揮してロック部が小型プリント配線板の貫通孔に嵌入しやすい。
【発明を実施するための最良の形態】
【００２２】
以下、本発明の実施の形態を説明する。図１ないし図６は本発明の第１の実施形態である電気コネクタ１００を示す。この電気コネクタ１００は、例えばプリント配線板（図示省略）に実装される。この電気コネクタ１００では、例えば図９に示すような小型プリント配線板２００の挿入又は抜去が行われる。互いに直交する奥行き方向、幅方向、及び厚さ方向を想定し、これらの方向付けを利用して説明する。この実施形態の電気コネクタ１００の場合、図３で例示すれば、図の上下方向が奥行き方向であり、図の上方が奥行き方向の手前、下方が奥行き方向の奥である。また、図の左右方向が厚さ方向であり、図の紙面に垂直な方向が幅方向である。小型プリント配線板２００においても方向付けは同様であり、図９で例示すれば、図の上下方向が奥行き方向であり、図の上方が奥行き方向の手前、下方が奥行き方向の奥である。また、図の左右方向が幅方向であり、図の紙面に垂直な方向が厚さ方向である。小型プリント配線板２００は、奥行き方向に延びる辺と幅方向に延びる辺とにより厚さ方向からみてほぼ矩形状に形成されている。小型プリント配線板２００は、奥行き方向の奥側の端縁付近に導電部２１０を有しており、厚さ方向に貫通する少なくとも１つの貫通孔２２０を有している。この貫通孔２２０の数及び配置は、後述するロック部１５０の数及び配置に応じて決定される。
【００２３】
電気コネクタ１００は、幅方向に延びる第１ハウジング１１０と、第１ハウジング１１０の幅方向両端付近から奥行き方向の手前へそれぞれ立ち上がって奥行き方向に延びる一対の第２ハウジング１２０と、第１ハウジング１１０に設けられたコンタクト１３０と、第１ハウジング１１０又は第２ハウジング１２０或いはこれらに跨って設けられたイジェクタ１４０とを備えている。
【００２４】
第１ハウジング１１０は絶縁性材料で形成されている。第１ハウジング１１０には厚さ方向に対向する一対の第１壁１１１が設けられ、この一対の第１壁１１１の間に、幅方向に延び且つ奥行き方向手前に開口する収容室１１２が形成されている。
【００２５】
第２ハウジング１２０は絶縁性材料で形成されている。第２ハウジング１２０には厚さ方向に対向する一対の第２壁１２１が設けられ、この一対の第２壁１２１の間に、奥行き方向に延び且つ幅方向の内側に開口するガイド溝１２２が形成されている。この場合の幅方向の内側は、第２ハウジング１２０の幅方向両側のうち他の第２ハウジング１２０と対面する側になる。
【００２６】
コンタクト１３０は、導電性材料で形成され、第１ハウジング１１０の外部に導出された接続部１３１と、収容室１１２に厚さ方向に弾性変形できるように設けられた接触部１３２とを備えている。この実施形態の場合、極数が２００であるので２００個のコンタクト１３０が設けられている。コンタクト１３０は細長い片を湾曲して形成されている。第１ハウジング１１０には収容室１１２から厚さ方向に凹む取付溝が形成され、この取付溝にコンタクト１３０の中途部が嵌合し、コンタクト１３０の一端が接続部１３１として第１ハウジング１１０の奥行き方向奥側の端面に導出され、他端が接触部１３２として取付溝の開口付近にある。接触部１３２は、中途部から延びて片持ち支持されることで厚さ方向に弾性変形できるようになっている。コンタクト１３０は収容室１１２を挟んで両方の第１壁１１１に設けられ、奥行き方向からみて千鳥配置されている。本発明の電気コネクタのコンタクトは、この構成に限定されるものではないし、コンタクトの数及び配置も小型プリント配線板の導電部の配置又は必要に応じて決定されるものであり、例えば片方の第１壁１１１のみに設けてもよい。
【００２７】
第１ハウジング１１０又は第２ハウジング１２０或いはこれらに跨って、収容室１１２を外部に連通する連通部１１３が設けられている。この連通部１１３には、イジェクタ１４０が配置されている。イジェクタ１４０は、奥行き方向に交差して延びる軸のまわりに回動可能に設けられ、一部が押出部として収容室１１２に位置し、先端が操作部として連通部１１３の外側に導出されている。この実施形態の場合、電気コネクタ１００の幅方向の両端に連通部１１３が設けられており、それぞれにイジェクタ１４０が設けられている。イジェクタ１４０は、厚さ方向に延びる軸１４１のまわりに回動可能に設けられ、幅方向内側の端部が押出部１４２として収容室１１２に位置し、先端が操作部１４３として連通部１１３の外側に導出されている。この場合のイジェクタ１４０の幅方向内側の端部は、イジェクタ１４０の幅方向両側の端部のうち、イジェクタ１４０にとって遠い方の第２ハウジング１２０に対する距離が近い方の端部である。
【００２８】
以上の構成により、挿入された小型プリント配線板２００の幅方向の両端の端縁２３０をガイド溝１２２で受け、奥行き方向の奥側の端縁２４０を収容室１１２に受け入れ、導電部２１０にコンタクト１３０の接触部１３２を接触させる一方（図７を参照）、イジェクタ１４０の操作部１４３を奥行き方向に移動させることで押出部１４２を奥行き方向の手前に移動し、押出部１４２で小型プリント配線板２００を押し出して抜去するように構成している（図８を参照）。
【００２９】
そして、第１ハウジング１１０の第１壁１１１及び第２ハウジング１２０の第２壁１２１のうち少なくとも１つの壁１１１、１２１の内面には、厚さ方向に突出し、挿入された小型プリント配線板２００の貫通孔２２０に嵌入する可撓性あるロック部１５０が設けられている。ロック部１５０は、例えばハウジングと同じ材料で一体形成されてもよいし、別の部品として形成されてからハウジングに取り付けられてもよい。可撓性はロック部１５０の材料、形状により発揮させてもよいし、ロック部１５０が設けられる壁１１１、１２１の材料、形状により発揮させてもよい。
【００３０】
ロック部１５０は、第２ハウジング１２０の対向する第２壁１２１に、厚さ方向に対向するように設けられている。
【００３１】
ロック部１５０は、一対の第２ハウジング１２０のそれぞれに設けられており、これによって厚さ方向に対向するロック部１５０が２対設けられている。しかも、ロック部１５０は、幅方向に離れて２対が設けられている。
【００３２】
ロック部１５０は、厚さ方向に向いた面による断面が先端に向かって小さくなるように設けられている。この実施形態の場合、ロック部１５０は、上記断面が先端に向かって連続的に小さくなるように幅方向からみて台形になるように設けられている。幅方向に沿っての形状変化はない。これに代えて円錐台形や円錐形に設けたり、上記断面が先端に向かって段階的に小さくなるように設けてもよい。
【００３３】
従って、この電気コネクタ１００に小型プリント配線板２００を挿入すると、小型プリント配線板２００の幅方向の両端の端縁２３０をガイド溝１２２で受け、奥行き方向の奥側の端縁２４０を収容室１１２に受け入れ、導電部２１０にコンタクト１３０の接触部１３２を接触させる。その場合、ロック部１５０が可撓性により撓んで小型プリント配線板２００の貫通孔２２０に嵌入して小型プリント配線板２００を係止するので、小型プリント配線板２００が電気コネクタ１００から抜けにくい。極数が多くなると、コンタクト１３０の数が多いので、コンタクト１３０の接触圧力による小型プリント配線板２００の保持力もあるので、これと相俟って小型プリント配線板２００が電気コネクタ１００から抜けにくくなる（図７を参照）。一方、イジェクタ１４０の操作部１４３を奥行き方向に移動させると、押出部１４２が奥行き方向の手前に移動し、押出部１４２で小型プリント配線板２００を押し出して抜去する。その場合、ロック部１５０が可撓性により撓んで小型プリント配線板２００の貫通孔２２０から外れる（図８を参照）。イジェクタ１４０は、小型プリント配線板２００の奥行き方向手前の端縁や幅方向の端縁２３０に掛かって抜け止めする必要がないので、イジェクタ１４０の奥行き方向の寸法が小さくなって低背化し、奥行き方向の奥側に収まる。その結果、電気コネクタ１００の低背下による小型化が達成可能となり、また電気コネクタ１００の幅方向外側のスペースが少なくてよいので、電気コネクタ１００の実装密度が向上する。この場合の電気コネクタ１００の幅方向外側は、電気コネクタ１００の幅方向両端に対して電気コネクタ１００から離れる側である。
【００３４】
本発明の電気コネクタは、ロック部が、第１ハウジングの第１壁及び第２ハウジングの第２壁のうち少なくとも１つの壁の内面に厚さ方向に突出して設けられた実施形態を含む。従って本発明は、ロック部を少なくとも１つ設けた電気コネクタの実施形態を含む。そのなかで、第１の実施形態の場合、ロック部１５０は、第２ハウジング１２０の対向する第２壁１２１に、厚さ方向に対向するように設けられている。このようにすれば、対向する一対のロック部１５０が小型プリント配線板２００を挟持するので、小型プリント配線板２００を係止する力が増し、小型プリント配線板２００が電気コネクタ１００から更に抜けにくくなる。この効果は、ロック部を、第１ハウジングの対向する第１壁及び第２ハウジングの対向する第２壁のうち少なくとも一方に、厚さ方向に対向するように設けたときに得られる。
【００３５】
第１の実施形態の場合、ロック部１５０は、一対の第２ハウジング１２０のそれぞれに設けられており、これによって厚さ方向に対向するロック部１５０が２対設けられている。このようにすれば、ロック部１５０が小型プリント配線板２００の貫通孔２２０に嵌入する個所が増すので、小型プリント配線板２００を係止する力が増し、小型プリント配線板２００が電気コネクタ１００から更に抜けにくくなる。この効果は、ロック部を、第１ハウジングの対向する第１壁及び第２ハウジングの対向する第２壁のうち少なくとも一方に、厚さ方向に対向するように設け、且つこのように厚さ方向に対向するロック部が複数対設けられたときに得られる。
【００３６】
第１の実施形態の場合、ロック部１５０は、幅方向に離れて２対が設けられている。このようにすれば、ロック部１５０が小型プリント配線板２００の貫通孔２２０に嵌入する個所が増すので、小型プリント配線板２００を係止する力が増し、小型プリント配線板２００が電気コネクタ１００から更に抜けにくくなる。しかも、係止力が幅方向にバランスするので、小型プリント配線板２００が厚さ方向からみて傾斜しにくい。同様の効果は、厚さ方向に対向する一対のロック部又は対向しない単独のロック部が幅方向に離れて設けられたときにも得られる。
【００３７】
本発明の電気コネクタでは、ロック部は壁から厚さ方向に突出するものであればよく、形状を限定するものではない。そのなかで、第１の実施形態の場合、ロック部１５０は、厚さ方向に向いた面による断面が先端に向かって小さくなるように設けられている。このようにすれば、ロック部１５０の外面が先端に向かって傾斜しているので、これがガイド機能を発揮してロック部１５０が小型プリント配線板２００の貫通孔２２０に嵌入しやすい。
【００３８】
次に、図１０及び図１１により、本発明の第２の実施形態の電気コネクタ１００を説明する。第１実施形態の部材と同様の機能を発揮する部材には同一の符号を付して説明を省略する。第１の実施形態の場合、電気コネクタ１００の幅方向の両端に連通部１１３を設け、それぞれにイジェクタ１４０を設けたが、第２の実施形態の場合、電気コネクタ１００の幅方向の一端にのみ連通部１１３を設け、ここにイジェクタ１４０を設けている。第１の実施形態の場合、第２ハウジング１２０の第２壁１２１にロック部１５０を設けたが、第２の実施形態の場合、第１ハウジング１１０の第１壁１１１にロック部１５０を設けている。
【００３９】
ロック部１５０は、第１ハウジング１１０の対向する第１壁１１１に、厚さ方向に対向するように設けられている。
【００４０】
ロック部１５０は、厚さ方向に向いた面による断面が先端に向かって小さくなるように設けられている。この実施形態の場合、ロック部１５０は、上記断面が先端に向かって連続的に小さくなるように幅方向からみて台形になるように設けられている。幅方向に沿っての形状変化はない。これに代えて円錐台形や円錐形に設けたり、上記断面が先端に向かって段階的に小さくなるように設けてもよい。
【００４１】
第２の実施形態の電気コネクタ１００においても、第１実施形態の場合と同様の作用及び効果が得られる。イジェクタ１４０は、小型プリント配線板２００の奥行き方向手前の端縁や幅方向の端縁２３０に掛かって抜け止めする必要がないので、イジェクタ１４０の奥行き方向の寸法が小さくなって低背化し、奥行き方向の奥側に収まる。その結果、電気コネクタ１００の低背下による小型化が達成可能となり、また電気コネクタ１００の幅方向外側のスペースが少なくてよいので、電気コネクタ１００の実装密度が向上する。
【００４２】
第２の実施形態の場合、ロック部１５０は、第１ハウジング１１０の対向する第１壁１１１に、厚さ方向に対向するように設けられている。このようにすれば、対向する一対のロック部１５０が小型プリント配線板２００を挟持するので、小型プリント配線板２００を係止する力が増し、小型プリント配線板２００が電気コネクタ１００から更に抜けにくくなる。
【００４３】
第２の実施形態の場合、ロック部１５０は、厚さ方向に向いた面による断面が先端に向かって小さくなるように設けられている。このようにすれば、ロック部１５０の外面が先端に向かって傾斜しているので、これがガイド機能を発揮してロック部１５０が小型プリント配線板２００の貫通孔２２０に嵌入しやすい。
【００４４】
本発明は、厚さ方向に対向する一対のロック部と、対向しない単独のロック部とを組み合わせることで２以上のロック部を設けた電気コネクタの実施形態を全て含む。ロック部又はロック部の対を増せば、小型プリント配線板を係止する力が増し、小型プリント配線板が電気コネクタから抜けにくくなる。
【００４５】
以上の実施形態で用いた小型プリント配線板２００には、貫通孔２２０に加えて幅方向の端縁から幅方向に凹む切り欠きも設けたが、本発明の電気コネクタ専用の小型プリント配線板に仕立てるのであれば、切り欠きは不要である。そうすれば、小型プリント配線板２００の強度が向上して好ましい。その場合、切り欠きよりも貫通孔の方が加工が容易であるし、強度的にも有利である。本発明は、以上の実施形態の特徴を適宜組み合わせてなる実施形態を含むものである。
【図面の簡単な説明】
【００４６】
【図１】第１実施形態の電気コネクタの斜視図である。
【図２】第１実施形態の電気コネクタを奥行き方向の手前からみた図である。
【図３】第１実施形態の電気コネクタを幅方向からみた図である。
【図４】第１実施形態の電気コネクタを一部を断面して厚さ方向からみた図である。
【図５】第１実施形態の電気コネクタを幅方向に向いた面で断面して幅方向からみた拡大図である。
【図６】第１実施形態の電気コネクタの一部を厚さ方向に向いた面で断面して厚さ方向からみた拡大図である。
【図７】小型プリント配線板を挿入したときの第１実施形態の電気コネクタの一部を厚さ方向に向いた面で断面して厚さ方向からみた図である。小型プリント配線板を仮想線で示している。
【図８】小型プリント配線板を抜去するときの第１実施形態の電気コネクタの一部を厚さ方向に向いた面で断面して厚さ方向からみた図である。小型プリント配線板を仮想線で示している。
【図９】第１実施形態の電気コネクタで用いた小型プリント配線板を厚さ方向からみた図である。
【図１０】第２実施形態の電気コネクタの一部を断面して厚さ方向からみた図である。
【図１１】第２実施形態の電気コネクタを奥行き方向の手前からみた図である。
【符号の説明】
【００４７】
１００  電気コネクタ
１１０  第１ハウジング
１１１  第１壁
１１２  収容室
１１３  連通部
１２０  第２ハウジング
１２１  第２壁
１２２  ガイド溝
１３０  コンタクト
１３１  接続部
１３２  接触部
１４０  イジェクタ
１４１  軸
１４２  押出部
１４３  操作部
１５０  ロック部
２００  小型プリント配線板
２１０  導電部
２２０  貫通孔
【図１】
2005294231.tif 000003
【図２】
2005294231.tif 000004
【図３】
2005294231.tif 000005
【図４】
2005294231.tif 000006
【図５】
2005294231.tif 000007
【図６】
2005294231.tif 000008
【図７】
2005294231.tif 000009
【図８】
2005294231.tif 000010
【図９】
2005294231.tif 000011
【図１０】
2005294231.tif 000012
【図１１】
2005294231.tif 000013